(57)【要約】【課題】容易にブランチ数を変更できるようにする。【解決手段】受信電力検出回路２４−１および２４−２はそれぞれ、伝送信号Ａおよび伝送信号ＢのＯＦＤＭシンボル毎の電力レベルを検出し、検出された電力レベルを重み付け制御回路１２に通知する。重み付け制御回路１２は、伝送信号Ａおよび伝送信号ＢのＯＦＤＭシンボル毎の電力レベルに基づいて、ブランチ１１−１およびブランチ１１−２のそれぞれに対する重み係数を算出する。重み付け回路２９−１および２９−２は、ＦＦＴ回路２７−１および２７−２から出力された周波数領域信号に対して、重み係数を乗算することにより、周波数領域信号に重み付けする。重み付けされた周波数領域信号は、等化回路３１−１および３１−２により等化された後、加算回路１３により加算合成される。本発明は、ＯＦＤＭ信号を受信する電子機器に適用することができる。【選択図】      図１
2004343586.tif 000002
【特許請求の範囲】
【請求項１】
複数のブランチによりＯＦＤＭ信号をダイバーシティ受信する受信装置において、
受信された伝送信号のＯＦＤＭシンボル毎に電力レベルを検出する検出手段と、
前記伝送信号を直交復調する復調手段と、
前記復調手段により直交復調され、生成された時間領域信号を周波数領域信号に変換する変換手段と、
前記周波数領域信号に重み係数を乗算して、重み付けする重み付け手段と
を備える複数のブランチと、
複数の前記ブランチの前記検出手段によりそれぞれ検出された前記ＯＦＤＭシンボル毎の前記電力レベルに基づいて、各ブランチの前記重み付け手段が前記周波数領域信号に乗算する前記重み係数を算出する算出手段と、
複数の前記ブランチの前記重み付け手段によりそれぞれ重み付けされた前記周波数領域信号を合成する合成手段と
を備えることを特徴とする受信装置。
【請求項２】
前記算出手段は、前記各ブランチの前記ＯＦＤＭシンボル毎の前記電力レベルを、全ての前記ブランチの前記電力レベルの総和で割り算して、前記各ブランチの前記重み係数を算出する
ことを特徴とする請求項１に記載の受信装置。
【請求項３】
前記ブランチは、
ＯＦＤＭシンボルのガード期間を特定する特定手段と、
前記特定手段により特定された前記ガード期間中に、前記算出手段により算出された前記重み係数を記憶する記憶手段と
をさらに備え、
前記重み付け手段は、前記記憶手段により記憶された前記重み係数を前記周波数領域信号に乗算する
ことを特徴とする請求項１に記載の受信装置。
【請求項４】
複数のブランチによりＯＦＤＭ信号をダイバーシティ受信する受信装置の受信方法において、
複数の前記ブランチにより受信された伝送信号のＯＦＤＭシンボル毎の電力レベルを、前記ブランチ毎に検出する検出ステップと、
前記伝送信号を、前記ブランチ毎に直交復調する復調ステップと、
前記復調ステップの処理により直交復調され、生成された時間領域信号を、前記ブランチ毎に周波数領域信号に変換する変換ステップと、
前記検出ステップの処理により、複数の前記ブランチのそれぞれにおいて検出された前記ＯＦＤＭシンボル毎の前記電力レベルに基づいて、各ブランチの前記周波数領域信号にそれぞれ乗算する前記重み係数を算出する算出ステップと、
前記算出ステップの処理により算出された前記各ブランチの前記重み係数を、前記各ブランチの前記周波数領域信号に乗算して、重み付けする重み付けステップと、
前記重み付けステップの処理により、複数の前記ブランチのそれぞれにおいて重み付けされた前記周波数領域信号を合成する合成ステップと
を含むことを特徴とする受信方法。
【発明の詳細な説明】
【０００１】
【発明の属する技術分野】
本発明は、受信装置および方法に関し、特に、ＯＦＤＭ信号をダイバーシティ受信するブランチの個数の変更に柔軟に対応できるようにした受信装置および方法に関する。
【０００２】
【従来の技術】
地上波を用いてデジタル信号を伝送する場合、送信信号は様々な反射物により多重反射されて受信アンテナへと到達する。このことから、受信信号にはマルチパスによる周波数特性を生じる。また、送信機や受信機が移動している場合、および反射物が動いている場合、時変の反射となることから、送信機から受信機までの周波数特性が変動することになり、一般にフェーディングと呼ばれる伝送特性の変動現象が発生する。
【０００３】
このようなマルチパスやフェーディングに対して耐性のある方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）伝送方式が注目されており、とりわけ地上波デジタル放送や無線ＬＡＮなどへの応用が考えられている。ＯＦＤＭ方式は、受信機で適切なＦＦＴ（Ｆａｓｔ  Ｆｏｕｒｉｅｒ  Ｔｒａｎｓｆｏｒｍ）窓位相と伝送路特性の補正（以下、等化と称する）を行うことにより、ガードインターバル以内のマルチパスの影響を排除することができる伝送方式である。ＯＦＤＭ方式はまた、伝送路特性の推定を容易に高速に行うことができるという特徴を有している。ＯＦＤＭ方式はこのような特徴を有しているため、伝送路特性の変動に対する追従性の良好な等化を行うことができ、マルチパスやフェーディングが問題となる伝送路に対して良好な伝送特性を得ることができる。
【０００４】
ＯＦＤＭ方式は、多数の搬送波を用いるマルチキャリア方式の一種であり、情報はそれぞれの搬送波に分散されて伝送されているが、マルチパスやフェーディングに起因する伝送路レベル応答の小さな搬送波により伝送される情報においては、レベル応答の大きな搬送波により伝送される情報と比較して、伝送誤りが増大する。このような伝送路レベル応答の小さな搬送波による伝送誤りの影響を排除するために、各種のインターリーブを施すことにより伝送誤りを分散させ、後段の誤り訂正回路にて伝送誤りを訂正するようにしたものが知られている。
【０００５】
ところで、ＯＦＤＭ方式は、受信機に大きな負担をかけることなく、マルチパスやフェーディングの影響を排除できる変調方式であるが、ダイバーシティ受信を併用することで伝送の信頼性をさらに向上させることが提案されている（例えば、特許文献１参照）。
【０００６】
ダイバーシティ技術は送受信機間に複数の伝送経路を設定して、情報を伝送する手法であり、受信機において、複数の伝送経路により伝送されて来た受信信号を合成することによって、伝送の高安定化、高信頼化を図る技術である。この複数の伝送経路からの受信信号を合成する手法として、従来、選択合成法、等利得合成法、および最大比合成法の各合成法が知られている。
【０００７】
このうち最大比合成法は、合成後のキャリア電力対雑音電力比（以下、Ｃ／Ｎ比（Ｃａｒｒｉｅｒ  ｔｏ  Ｎｏｉｓｅ  Ｒａｔｉｏ）と称する）が最大になるように、各ブランチにより受信された信号に対して適当な重み付けを行い、加算する合成法である。最大比合成法は、合成後のＣ／Ｎ比を最大とすることから、選択合成法、および等利得合成法と比較して、送信装置から伝送された信号を最も正確に再生することができる。
【０００８】
ＯＦＤＭ方式は、マルチパスやフェーディングの環境においても受信機に大きな負担をかけることなくその影響を排除できる変調方式であり、さらに特許文献１に提案されているように、ダイバーシティ受信を併用することにより、さらに雑音の影響を抑え、伝送の信頼性を向上させることが期待されている。
【０００９】
【特許文献１】
特開平９−２８４１９１号公報
【００１０】
【発明が解決しようとする課題】
しかしながら、特許文献１においては、複数のアンテナにより受信されたＯＦＤＭ信号を高速フーリエ変換（ＦＴＴ）回路により周波数領域信号に変換した後、ＯＦＤＭキャリア単位で合成することから、周波数領域信号に変換した後の処理は、ＯＦＤＭキャリア単位毎に施さなくてはならず、そのため、ブランチ数が異なると、キャリア単位の重み付けが異なる。従って、ブランチ数の変更に対するシステム構築の柔軟性に乏しいという課題があった。
【００１１】
本発明はこのような状況に鑑みてなされたものであり、ブランチの個数の変更に柔軟に対応できるようにすることを目的とする。
【００１２】
【課題を解決するための手段】
本発明の受信装置は、受信された伝送信号のＯＦＤＭシンボル毎に電力レベルを検出する検出手段と、伝送信号を直交復調する復調手段と、復調手段により直交復調され、生成された時間領域信号を周波数領域信号に変換する変換手段と、周波数領域信号に重み係数を乗算して、重み付けする重み付け手段とを備える複数のブランチと、複数のブランチの検出手段によりそれぞれ検出されたＯＦＤＭシンボル毎の電力レベルに基づいて、各ブランチの重み付け手段が周波数領域信号に乗算する重み係数を算出する算出手段と、複数のブランチの重み付け手段によりそれぞれ重み付けされた周波数領域信号を合成する合成手段とを備えることを特徴とする。
【００１３】
前記算出手段には、前記各ブランチの前記電力レベルを、全ての前記ブランチの前記ＯＦＤＭシンボル毎の前記電力レベルの総和で割り算して、前記各ブランチの前記重み係数を算出するようにさせることができる。
【００１４】
前記ブランチには、ＯＦＤＭシンボルのガード期間を特定する特定手段と、特定手段により特定されたガード期間中に、前記算出手段により算出された前記重み係数を記憶する記憶手段とをさらに設けるようにさせ、前記重み付け手段には、記憶手段により記憶された前記重み係数を前記周波数領域信号に乗算するようにさせることができる。
【００１５】
本発明の受信方法は、複数のブランチにより受信された伝送信号のＯＦＤＭシンボル毎の電力レベルを、ブランチ毎に検出する検出ステップと、伝送信号を、ブランチ毎に直交復調する復調ステップと、復調ステップの処理により直交復調され、生成された時間領域信号を、ブランチ毎に周波数領域信号に変換する変換ステップと、検出ステップの処理により、複数のブランチのそれぞれにおいて検出されたＯＦＤＭシンボル毎の電力レベルに基づいて、各ブランチの周波数領域信号にそれぞれ乗算する重み係数を算出する算出ステップと、算出ステップの処理により算出された各ブランチの重み係数を、各ブランチの周波数領域信号に乗算して、重み付けする重み付けステップと、重み付けステップの処理により、複数のブランチのそれぞれにおいて重み付けされた周波数領域信号を合成する合成ステップとを含むことを特徴とする。
【００１６】
本発明の受信装置および方法においては、複数のブランチにより受信された伝送信号のＯＦＤＭシンボル毎の電力レベルが、ブランチ毎に検出され、伝送信号が、ブランチ毎に直交復調され、直交復調され、生成された時間領域信号が、ブランチ毎に周波数領域信号に変換され、複数のブランチのそれぞれにおいて検出されたＯＦＤＭシンボル毎の電力レベルに基づいて、各ブランチの周波数領域信号にそれぞれ乗算する重み係数が算出され、算出された各ブランチの重み係数が、各ブランチの周波数領域信号に乗算されて、重み付けされ、複数のブランチのそれぞれにおいて重み付けされた周波数領域信号が合成される。
【００１７】
本発明は、ＯＦＤＭ信号を受信する電子機器に適用することができる。
【００１８】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２０】
請求項１に記載の受信装置（例えば、図１の受信装置１）は、受信された伝送信号（例えば、図１の伝送信号Ａおよび伝送信号Ｂ）のＯＦＤＭシンボル毎に電力レベルを検出する検出手段（例えば、図１の受信電力検出回路２４−１および２４−２）と、伝送信号を直交復調する復調手段（例えば、図１の直交復調回路２５−１および２５−２）と、復調手段により直交復調され、生成された時間領域信号を周波数領域信号に変換する変換手段（例えば、図１のＦＦＴ回路２７−１および２７−２）と、周波数領域信号に重み係数を乗算して、重み付けする重み付け手段（例えば、図１の重み付け回路２９−１および２９−２）とを備える複数のブランチ（例えば、図１のブランチ１１−１および１１−２）と、複数のブランチの検出手段によりそれぞれ検出されたＯＦＤＭシンボル毎の電力レベルに基づいて、各ブランチの重み付け手段が周波数領域信号に乗算する重み係数を算出する算出手段（例えば、図１の重み付け制御回路１２）と、複数のブランチの重み付け手段によりそれぞれ重み付けされた周波数領域信号を合成する合成手段（例えば、図１の加算回路１３）とを備えることを特徴とする。
【００２１】
請求項２に記載の受信装置においては、前記算出手段は、前記各ブランチの前記電力レベルを、全ての前記ブランチの前記ＯＦＤＭシンボル毎の電力レベルの総和で割り算して、前記各ブランチの前記重み係数を算出することを特徴とする。
【００２２】
請求項３に記載の受信装置においては、前記ブランチは、ＯＦＤＭシンボルのガード期間（例えば、図２のＯＦＤＭシンボル開始位置）を特定する特定手段（例えば、図１のガード相関回路２６−１および２６−２）と、特定手段により特定されたガード期間中に、前記算出手段により算出された前記重み係数を記憶する記憶手段（例えば、図１のレジスタ２８−１および２８−２）とをさらに備え、前記重み付け手段は、記憶手段により記憶された前記重み係数を前記周波数領域信号に乗算することを特徴とする。
【００２３】
請求項４に記載の受信方法は、複数のブランチ（例えば、図１のブランチ１１−１および１１−２）により受信された伝送信号（例えば、図１の伝送信号Ａおよび伝送信号Ｂ）のＯＦＤＭシンボル毎の電力レベルを、ブランチ毎に検出する検出ステップ（例えば、図４のステップＳ４）と、伝送信号を、ブランチ毎に直交復調する復調ステップ（例えば、図４のステップＳ５）と、復調ステップの処理により直交復調され、生成された時間領域信号を、ブランチ毎に周波数領域信号に変換する変換ステップ（例えば、図４のステップＳ７）と、検出ステップの処理により、複数のブランチのそれぞれにおいて検出されたＯＦＤＭシンボル毎の電力レベルに基づいて、各ブランチの周波数領域信号にそれぞれ乗算する重み係数を算出する算出ステップ（例えば、図４のステップＳ８）と、算出ステップの処理により算出された各ブランチの重み係数を、各ブランチの周波数領域信号に乗算して、重み付けする重み付けステップ（例えば、図５のステップＳ１２）と、重み付けステップの処理により、複数のブランチのそれぞれにおいて重み付けされた周波数領域信号を合成する合成ステップ（例えば、図５のステップＳ１５）とを含むことを特徴とする。
【００２４】
図１は、本発明を適用した受信装置１の一実施の形態の構成を表している。受信装置１は、ＯＦＤＭキャリア単位毎に最大比合成するのではなく、全てのＯＦＤＭキャリアをまとめて最大比合成する。
【００２５】
図１において、受信装置１は、ブランチ１１−１および１１−２の２つのブランチを有しており、各ブランチ１１−１および１１−２で受信したＯＦＤＭ信号をダイバーシティ受信し、最大比合成する。
【００２６】
放送局から、ブランチ１１−１に受信された伝送信号を伝送信号Ａとし、放送局からブランチ１１−２に受信された伝送信号を伝送信号Ｂとする。放送局から発信される信号は同一であるが、発信された信号は、異なる伝送経路を経由して、それぞれ受信アンテナ２１−１および２１−２に受信される。従って、伝送信号Ａと伝送信号Ｂは、異なる伝送路特性を有している。
【００２７】
ブランチ１１−１は、受信アンテナ２１−１、高周波回路２２−１、Ａ／Ｄ（Ａｎａｌｏｇ  ｔｏ  Ｄｉｇｉｔａｌ）回路２３−１、受信電力検出回路２４−１、直交復調回路２５−１、ガード相関回路２６−１、ＦＦＴ回路２７−１、レジスタ２８−１、重み付け回路２９−１、伝送路特性推定回路３０−１、および等化回路３１−１を含む。
【００２８】
受信アンテナ２１−１は、伝送信号Ａを捕捉する。高周波回路２２−１は、受信アンテナ２１−１により捕捉された伝送信号Ａから、所要帯域の信号を抜き出し、抜き出された信号を所要レベルの電力に増幅し、増幅された信号を中間周波数に変換した後、変換後の信号をＡ／Ｄ回路２３−１に出力する。なお、高周波回路２２−１は、受信電力検出回路２４−１から供給された受信電力検出信号の積分値に基づいて、受信アンテナ２１−１により捕捉された信号を増幅する際の利得を調整する。
【００２９】
Ａ／Ｄ回路２３−１は、高周波回路２２−１から供給された信号を量子化し、量子化された信号を受信電力検出回路２４−１および直交復調回路２５−１に出力する。
【００３０】
受信電力検出回路２４−１は、Ａ／Ｄ回路２３−１から供給された信号に基づいて、受信アンテナ２１−１により捕捉された伝送信号ＡのＯＦＤＭシンボル毎の電力レベルを検出し、検出されたＯＦＤＭシンボル毎の電力レベルを表す受信電力検出信号を重み付け制御回路１２に供給するとともに、受信電力検出信号をさらに積分して、高周波回路２２−１に供給する。受信電力検出回路２４−１で検出されたＯＦＤＭシンボル毎の受信電力検出信号の積分値に基づいて、高周波回路２２−１の信号増幅の利得を調整することにより、ＡＧＣ（Ａｕｔｏｍａｔｉｃ  Ｇａｉｎ  Ｃｏｎｔｒｏｌ）が構成される。これにより、Ａ／Ｄ回路２３−１から出力される信号の電力レベルが一定に保たれる。
【００３１】
直交復調回路２５−１は、Ａ／Ｄ回路２３−１から供給された信号を直交復調し、直交復調された信号をガード相関回路２６−１およびＦＦＴ回路２７−１に出力する。なお、直交復調回路２５−１から出力される信号は、所謂、時間領域信号である。
【００３２】
ガード相関回路２６−１は、直交復調回路２５−１から供給された時間領域信号に基づいて、ＯＦＤＭシンボルの開始位置を検出し、ＯＦＤＭシンボルの開始位置を検出したことを示す開始位置検出信号をＦＦＴ回路２７−１およびレジスタ２８−１に出力する。ここで、ＯＦＤＭシンボルについて説明する。ＯＦＤＭシンボルの例を図２に示す。
【００３３】
図２において、「ＯＦＤＭシンボル」と記載されている矢印の範囲が、１つのＯＦＤＭシンボルの占める区間を示している。また、図２において、「ガード期間」および「有効シンボル（ＩＦＦＴ期間）」と記載されているように、ＯＦＤＭシンボルは、ガード期間および有効シンボルにより構成されている。ガード期間は、有効シンボルの後ろの一部分の波形（図中、斜線の部分）が、所定の割合分だけコピーされ、有効シンボルの直前の位置に付加されたものである。すなわち、ガード期間は、ＯＦＤＭ信号を送信する送信装置において情報を多数のＯＦＤＭ搬送波にマッピングし、周波数領域から時間領域の信号にＩＦＦＴ（Ｉｎｖｅｒｓｅ  Ｆａｓｔ  Ｆｏｕｒｉｅｒ  Ｔｒａｎｓｆｏｒｍ）した後、ＯＦＤＭシンボルとしてＩＦＦＴ後の信号の後半の一部分をその信号の前半部に付加したものである。ガード期間を付加することにより、受信機ではガード期間よりも短いマルチパスの影響を除去することが可能となる。ＯＦＤＭ時間領域信号は、ＯＦＤＭシンボルを単位とする信号である。
【００３４】
ガード相関回路２６−１は、ＯＦＤＭシンボルの前後の相関関数を計算することにより、ＯＦＤＭシンボルの開始位置を検出し、検出したタイミングで開始位置検出信号をＦＦＴ回路２７−１およびレジスタ２８−１に出力する。なお、図２のＯＦＤＭシンボルの左端に、ＯＦＤＭシンボルの開始位置が矢印で示されている。
【００３５】
ＦＦＴ回路２７−１は、直交復調回路２５−１から供給された時間領域信号を周波数領域信号に変換し、変換された周波数領域信号を重み付け回路２９−１および伝送路特性推定回路３０−１に出力する。なお、ＦＦＴ回路２７−１は、時間領域信号を周波数領域信号に変換する際、ガード相関回路２６−１から供給された開始位置検出信号に基づいて、窓同期を制御する。
【００３６】
レジスタ２８−１は、ガード相関回路２６−１から開始位置検出信号が供給されたタイミングで、重み付け制御回路１２から供給された重み係数を記憶する。また、レジスタ２８−１は、適宜、記憶している重み係数を重み付け回路２９−１に出力する。なお、レジスタ２８−１は、ガード相関回路２６−１から開始位置検出信号が供給される度に、元々記憶していた重み係数を消去し、開始位置検出信号が供給されたタイミングで重み付け制御回路１２から供給された重み係数を、新たな重み係数として記憶する。従って、レジスタ２８−１に記憶される重み係数は、ガード相関回路２６−１から開始位置検出信号が供給されるタイミングで更新される。
【００３７】
重み付け回路２９−１は、ＦＦＴ回路２７−１から供給された周波数領域信号に対して、レジスタ２８−１から供給された重み係数を乗算することにより、周波数領域信号に重み付けし、重み付けされた周波数領域信号を等化回路３１−１に出力する。
【００３８】
伝送路特性推定回路３０−１は、ＦＦＴ回路２７−１から供給された周波数領域信号から、既知のパイロット信号を抽出して、伝送信号Ａが経由してきた伝送路の伝送路特性の推定値を算出し、算出された伝送路特性を等化回路３１−１に出力する。なお、以下の説明において、伝送信号Ａが経由してきた伝送路の伝送路特性をＨ１（ω）とする。
【００３９】
等化回路３１−１は、伝送路特性Ｈ１（ω）による歪みを補正する回路であり、伝送路特性推定回路３０−１から供給された伝送路特性Ｈ１（ω）の逆数１／Ｈ１（ω）と、重み付け回路２９−１から供給された、重み付けされた周波数領域信号を複素乗算することにより、周波数領域信号を等化し、等化後の信号を加算回路１３に出力する。
【００４０】
ブランチ１１−２は、受信アンテナ２１−２、高周波回路２２−２、Ａ／Ｄ回路２３−２、受信電力検出回路２４−２、直交復調回路２５−２、ガード相関回路２６−２、ＦＦＴ回路２７−２、レジスタ２８−２、重み付け回路２９−２、伝送路特性推定回路３０−２、および等化回路３１−２を含む。ブランチ１１−２の内部の構成は、ブランチ１１−１と同様である。
【００４１】
すなわち、受信アンテナ２１−２は、伝送信号Ｂを捕捉する。高周波回路２２−２は、受信アンテナ２１−２により捕捉された伝送信号Ｂから、所要帯域の信号を抜き出し、抜き出された信号を所要レベルの電力に増幅し、増幅された信号を中間周波数に変換した後、変換後の信号をＡ／Ｄ回路２３−２に出力する。なお、高周波回路２２−２は、受信電力検出回路２４−２から供給された受信電力検出信号の積分値に基づいて、受信アンテナ２１−２により捕捉された信号を増幅する際の利得を調整する。
【００４２】
Ａ／Ｄ回路２３−２は、高周波回路２２−２から供給された信号を量子化し、量子化された信号を受信電力検出回路２４−２および直交復調回路２５−２に出力する。
【００４３】
受信電力検出回路２４−２は、Ａ／Ｄ回路２３−２から供給された信号に基づいて、受信アンテナ２１−２により捕捉された伝送信号ＢのＯＦＤＭシンボル毎の電力レベルを検出し、検出されたＯＦＤＭシンボル毎の電力レベルを表す受信電力検出信号を重み付け制御回路１２に供給するとともに、受信電力検出信号をさらに積分して、高周波回路２２−２に供給する。受信電力検出回路２４−２で検出されたＯＦＤＭシンボル毎の受信電力検出信号の積分値に基づいて、高周波回路２２−２の信号増幅の利得を調整することにより、ＡＧＣが構成される。これにより、Ａ／Ｄ回路２３−２から出力される信号の電力レベルが一定に保たれる。
【００４４】
直交復調回路２５−２は、Ａ／Ｄ回路２３−２から供給された信号を直交復調し、直交復調された信号をガード相関回路２６−２およびＦＦＴ回路２７−２に出力する。なお、直交復調回路２５−２から出力される信号は、所謂、時間領域信号である。
【００４５】
ガード相関回路２６−２は、直交復調回路２５−２から供給された時間領域信号に基づいて、ＯＦＤＭシンボルの開始位置を検出し、ＯＦＤＭシンボルの開始位置を検出したことを示す開始位置検出信号をＦＦＴ回路２７−２およびレジスタ２８−２に出力する。なお、ＯＦＤＭシンボルの開始位置の検出方法は、上述したガード相関回路２６−１と同様である。
【００４６】
ＦＦＴ回路２７−２は、直交復調回路２５−２から供給された時間領域信号を周波数領域信号に変換し、変換された周波数領域信号を重み付け回路２９−２および伝送路特性推定回路３０−２に出力する。なお、ＦＦＴ回路２７−２は、時間領域信号を周波数領域信号に変換する際、ガード相関回路２６−２から供給された開始位置検出信号に基づいて、窓同期を制御する。
【００４７】
レジスタ２８−２は、ガード相関回路２６−２から開始位置検出信号が供給されたタイミングで、重み付け制御回路１２から供給された重み係数を記憶する。また、レジスタ２８−２は、適宜、記憶している重み係数を重み付け回路２９−２に出力する。なお、レジスタ２８−２は、新たにガード相関回路２６−２から開始位置検出信号が供給される度に、元々記憶していた重み係数を消去し、開始位置検出信号が供給されたタイミングで重み付け制御回路１２から供給された重み係数を、新たな重み係数として記憶する。従って、レジスタ２８−２に記憶される重み係数は、ガード相関回路２６−２から開始位置検出信号が供給されるタイミングで更新される。
【００４８】
重み付け回路２９−２は、ＦＦＴ回路２７−２から供給された周波数領域信号に対して、レジスタ２８−２から供給された重み係数を乗算することにより、周波数領域信号に重み付けし、重み付けされた周波数領域信号を等化回路３１−２に出力する。
【００４９】
伝送路特性推定回路３０−２は、ＦＦＴ回路２７−２から供給された周波数領域信号から、既知のパイロット信号を抽出して、伝送信号Ｂが経由してきた伝送路の伝送路特性の推定値を算出し、算出された伝送路特性を等化回路３１−２に出力する。なお、以下の説明において、伝送信号Ｂが経由してきた伝送路の伝送路特性をＨ２（ω）とする。
【００５０】
等化回路３１−２は、伝送路特性Ｈ２（ω）による歪みを補正する回路であり、伝送路特性推定回路３０−２から供給された伝送路特性Ｈ２（ω）の逆数１／Ｈ２（ω）と、重み付け回路２９−２から供給された、重み付けされた周波数領域信号を複素乗算することにより、周波数領域信号を等化し、等化後の信号を加算回路１３に出力する。
【００５１】
なお、上記したように、ブランチ１１−１および１１−２の内部構成は、同一である。以下、ブランチ１１−１および１１−２のそれぞれを、個々に区別する必要がない場合、まとめてブランチ１１と称する。以下、他の構成も同様とする。
【００５２】
重み付け制御回路１２は、ブランチ１１−１の受信電力検出回路２４−１から供給された、伝送信号ＡのＯＦＤＭシンボル毎の電力レベルを表す受信電力検出信号、およびブランチ１１−２の受信電力検出回路２４−２から供給された、伝送信号ＢのＯＦＤＭシンボル毎の電力レベルを表す受信電力検出信号に基づいて、ブランチ１１−１に供給する重み係数、およびブランチ１１−２に供給する重み係数を算出し、算出された重み係数を、ブランチ１１−１のレジスタ２８−１およびブランチ１１−２のレジスタ２８−２に供給する。
【００５３】
ここで、重み付け制御回路１２による重み係数の算出方法について説明する。
【００５４】
伝送信号ＡのＯＦＤＭシンボル毎の電力レベル（電力値）をＰ１とし、伝送信号ＢのＯＦＤＭシンボル毎の電力レベル（電力値）をＰ２とし、ブランチ１１−１の重み係数をｋ１とし、ブランチ１１−２の重み係数をｋ２とする。重み付け制御回路１２は、以下の式により、重み係数ｋ１およびｋ２を算出する。
【００５５】
ｋ１＝Ｐ１／（Ｐ１＋Ｐ２）
ｋ２＝Ｐ２／（Ｐ１＋Ｐ２）
【００５６】
すなわち、ブランチ１１−１の重み係数は、ブランチ１１−１により受信された伝送信号Ａの電力レベルＰ１を、ブランチ１１−１および１１−２の電力レベルの和（Ｐ１＋Ｐ２）で割り算した値である。また、ブランチ１１−２の重み係数は、ブランチ１１−２により受信された伝送信号Ｂの電力レベルＰ２を、ブランチ１１−１および１１−２の電力レベルの和（Ｐ１＋Ｐ２）で割り算した値である。
【００５７】
重み付け制御回路１２は、算出した重み係数ｋ１をレジスタ２８−１に出力し、重み係数ｋ２をレジスタ２８−２に出力する。
【００５８】
加算回路１３は、ブランチ１１−１の等化回路３１−１から供給された周波数領域信号、およびブランチ１１−２の等化回路３１−２から供給された周波数領域信号を加算合成し、合成後の周波数領域信号を、図示せぬ後段の誤り訂正回路に出力する。
【００５９】
以上に説明したように、受信装置１においては、ＯＦＤＭキャリア単位毎に、異なる重み係数を設定する構成ではなく、受信された伝送信号のＯＦＤＭシンボル毎の電力レベルに応じて、ＯＦＤＭキャリアに対して同一の重み係数を設定するように構成されている。ＯＦＤＭキャリア単位毎に重み係数を設定する場合、ブランチ数に変更があると、ＯＦＤＭキャリア単位の重み係数の設定を変更しなくてはならなかった。それに対して、受信装置１のように、ＯＦＤＭキャリア毎に個別に重み係数を設定しないようにすることにより、ＯＦＤＭ信号を最大比合成する受信装置において、容易にブランチ数を変更することが可能となる。
【００６０】
すなわち、例えば、図１に示されるように、２つのブランチ１１を備える受信装置１に、さらに１つブランチ１１を追加する場合、重み付け制御回路１２および加算回路１３を、３つ分のブランチ１１に対応する重み付け制御回路１２および加算回路１３に取り替えるのみで良く、ブランチ１１−１および１１−２は、そのまま利用することができる。
【００６１】
また、例えば、予め重み付け制御回路１２に、Ｍ個分（ただし、Ｍ≧２）のブランチ１１用の入出力端子を用意しておき、加算回路１３に、Ｍ個分のブランチ１１用の入力端子を用意しておくことにより、１乃至Ｍ個の範囲で、任意の個数のブランチ１１を容易に付け外しすることができる。なお、重み付け制御回路１２および加算回路１３に対して、Ｎ個（ただし、１≦Ｎ≦Ｍ）のブランチ１１が接続されている場合、重み付け制御回路１２は、第ｎ番目のブランチ、すなわちブランチ１１−ｎの重み係数ｋｎを以下の式により算出する。
【００６２】
【数１】
2004343586.tif 000003
【００６３】
なお、上記の式において、Ｐｎは、第ｎ番目のブランチ１１により受信された伝送信号の電力値である。
【００６４】
上記の式は、次のように言い換えられる。すなわち、重み係数は、各ブランチの電力値を、接続された全てのブランチの電力値の総和で割り算した値である。
【００６５】
また、本発明を適用した受信装置１においては、外部回路から各ブランチ１１への入力は、重み付け制御回路１２からの重み係数の入力のみであり、各ブランチ１１から外部回路への出力は、重み付け制御回路１２への受信電力検出信号の出力、および加算回路１３への等化後の周波数領域信号の出力のみである。そこで、重み付け制御回路１２および加算回路１３を１つのブロックとして構成することにより、ブランチ数の変更に容易に対処することが可能となる。
【００６６】
図３は、図１の受信装置１にブランチ１１を１個追加した場合の構成例を表している。
【００６７】
新たに追加されたブランチ１１−３の内部の構成は、ブランチ１１−１および１１−２と同一であるため、適宜、詳細な説明は省略する。なお、ブランチ１１−３が受信する伝送信号を伝送信号Ｃとする。
【００６８】
図３において、重み付け制御回路１２は、ブランチ１１−３の受信電力検出回路２４−３から、伝送信号ＣのＯＦＤＭシンボル毎の電力レベルＰ３を表す受信電力検出信号が入力される。
【００６９】
重み付け制御回路１２は、伝送信号ＡのＯＦＤＭシンボル毎の電力レベルＰ１、伝送信号ＢのＯＦＤＭシンボル毎の電力レベルＰ２、および伝送信号ＣのＯＦＤＭシンボル毎の電力レベルＰ３により、レジスタ２８−１に供給する重み係数ｋ１、レジスタ２８−２に供給する重み係数ｋ２、およびレジスタ２８−３に供給する重み係数ｋ３を、以下の式により算出する。
【００７０】
ｋ１＝Ｐ１／（Ｐ１＋Ｐ２＋Ｐ３）
ｋ２＝Ｐ２／（Ｐ１＋Ｐ２＋Ｐ３）
ｋ３＝Ｐ３／（Ｐ１＋Ｐ２＋Ｐ３）
【００７１】
また、図３においては、加算回路１３は、等化回路３１−１乃至３１−３の入力を加算合成する。
【００７２】
このように、ブランチ１１−３を追加する場合、重み付け制御回路１２および加算回路１３に入出力する情報が増えるだけで、回路自体に大きな変更を加える必要が無いため、ブランチ数の変更に柔軟に対応することが可能となる。
【００７３】
次に、図４のフローチャートを参照して、受信装置１の受信処理について説明する。なお、以下の説明においては、図１に示された、ブランチ数が２個の受信装置１の場合について説明するが、勿論、これは一例であり、ブランチ数が２個以外の場合も、ブランチ数が２個の場合と基本的に同様の処理となる。
【００７４】
ステップＳ１において、受信アンテナ２１−１および２１−２は、それぞれ伝送信号Ａおよび伝送信号Ｂを捕捉する。
【００７５】
ステップＳ２において、高周波回路２２−１は、ステップＳ１で受信アンテナ２１−１により捕捉された伝送信号Ａから、所要帯域の信号のみを抜き出し、所要レベルの電圧に増幅し、中間周波数に変換し、変換後の信号をＡ／Ｄ回路２３−１に出力する。なお、電圧を増幅する際の利得は、受信電力検出回路２４−１から供給されたＯＦＤＭシンボル毎の受信電力検出信号の積分値に基づいて調整される。同様に、高周波回路２２−２は、ステップＳ１で受信アンテナ２１−２により捕捉された伝送信号Ｂから、所要帯域の信号のみを抜き出し、所要レベルの電圧に増幅し、中間周波数に変換し、変換後の信号をＡ／Ｄ回路２３−２に出力する。なお、電圧を増幅する際の利得は、受信電力検出回路２４−２から供給されたＯＦＤＭシンボル毎の受信電力検出信号の積分値に基づいて調整される。
【００７６】
ステップＳ３において、Ａ／Ｄ回路２３−１は、ステップＳ２で高周波回路２２−１から供給された信号を量子化する。同様に、Ａ／Ｄ回路２３−２は、ステップＳ２で高周波回路２２−２から供給された信号を量子化する。
【００７７】
ステップＳ４において、受信電力検出回路２４−１は、Ａ／Ｄ回路２３−１から供給された信号に基づいて、伝送信号ＡのＯＦＤＭシンボル毎の電力レベルＰ１を検出し、検出された電力レベルＰ１を含む受信電力検出信号を重み付け制御回路１２に出力するとともに、受信電力検出信号を積分し、積分値を高周波回路２２−１に出力する。同様に、受信電力検出回路２４−２は、Ａ／Ｄ回路２３−２から供給された信号に基づいて、伝送信号ＢのＯＦＤＭシンボル毎の電力レベルＰ２を検出し、検出された電力レベルＰ２を含む受信電力検出信号を重み付け制御回路１２に出力するとともに、受信電力検出信号を積分し、積分値を高周波回路２２−１に出力する。
【００７８】
ステップＳ５において、直交復調回路２５−１は、ステップＳ３でＡ／Ｄ回路２３−１により量子化された信号を直交復調し、直交復調された信号（時間領域信号）をガード相関回路２６−１およびＦＦＴ回路２７−１に出力する。同様に、直交復調回路２５−２は、ステップＳ３でＡ／Ｄ回路２３−２により量子化された信号を直交復調し、直交復調された信号（時間領域信号）をガード相関回路２６−２およびＦＦＴ回路２７−２に出力する。
【００７９】
ステップＳ６において、ガード相関回路２６−１は、直交復調回路２５−１から供給された時間領域信号に基づいて、ＯＦＤＭシンボルの開始位置を検出し、ＯＦＤＭシンボルの開始位置を検出したことを示す開始位置検出信号をＦＦＴ回路２７−１およびレジスタ２８−１に出力する。同様に、ガード相関回路２６−２は、直交復調回路２５−２から供給された時間領域信号に基づいて、ＯＦＤＭシンボルの開始位置を検出し、ＯＦＤＭシンボルの開始位置を検出したことを示す開始位置検出信号をＦＦＴ回路２７−２およびレジスタ２８−２に出力する。
【００８０】
ステップＳ７において、ＦＦＴ回路２７−１は、直交復調回路２５−１により直交復調された信号を時間領域信号から周波数領域信号に変換し、変換後の周波数領域信号を重み付け回路２９−１および伝送路特性推定回路３０−１に出力する。同様に、ＦＦＴ回路２７−２は、直交復調回路２５−２により直交復調された信号を時間領域信号から周波数領域信号に変換し、変換後の周波数領域信号を重み付け回路２９−２および伝送路特性推定回路３０−２に出力する。
【００８１】
ステップＳ８において、重み付け制御回路１２は、ステップＳ４で受信電力検出回路２４−１から供給されたＯＦＤＭシンボル毎の受信電力検出信号、および受信電力検出回路２４−２から供給されたＯＦＤＭシンボル毎の受信電力検出信号に基づいて、重み係数を算出する。すなわち、重み付け制御回路１２は、伝送信号ＡのＯＦＤＭシンボル毎の電力レベル（電力値）Ｐ１および伝送信号ＢのＯＦＤＭシンボル毎の電力レベル（電力値）Ｐ２に基づいて、ブランチ１１−１の重み係数ｋ１およびブランチ１１−２の重み係数ｋ２を、以下の式により算出する。
【００８２】
ｋ１＝Ｐ１／（Ｐ１＋Ｐ２）
ｋ２＝Ｐ２／（Ｐ１＋Ｐ２）
【００８３】
重み付け制御回路１２は、算出した重み係数ｋ１をレジスタ２８−１に出力し、重み係数ｋ２をレジスタ２８−２に出力する。
【００８４】
上述したステップＳ６で、ガード相関回路２６−１および２６−２は、ＯＦＤＭ開始位置を検出したタイミングで、開始位置検出信号をレジスタ２８−１および２８−２に送信している。そこで、図４に続く図５のステップＳ９において、レジスタ２８−１は、ガード相関回路２６−１から開始位置検出信号が入力されたか否かに基づいて、ガード期間であるか否かを判定する。すなわち、図２に示されるように、ＯＦＤＭシンボルの開始位置の直後がガード期間であるので、開始位置検出信号が入力された場合、レジスタ２８−１は、ガード期間であると判定し、処理はステップＳ１０に進む。同様に、レジスタ２８−２は、ガード相関回路２６−２から開始位置検出信号が入力されたか否かに基づいて、ガード期間であるか否かを判定し、ガード期間である場合（開始位置検出信号が入力された場合）、処理はステップＳ１０に進む。
【００８５】
ステップＳ１０において、レジスタ２８−１は、図４のステップＳ８で重み付け制御回路１２から供給された重み係数ｋ１を記憶する。なお、レジスタ２８−１は、既に記憶していた重み係数を消去する。これにより、重み係数ｋ１は、ガード期間で更新される。レジスタ２８−２も、同様に、図４のステップＳ８で重み付け制御回路１２から供給された重み係数ｋ２を記憶する。なお、レジスタ２８−２は、既に記憶していた重み係数を消去する。その後、処理はステップＳ１１に進む。
【００８６】
ステップＳ９において、レジスタ２８−１が、ガード期間ではないと判定した場合（開始位置検出信号が入力されなかった場合）、ステップＳ１０の処理はスキップされ、処理はステップＳ１１に進む。同様に、レジスタ２８−２が、ガード期間ではないと判定した場合（開始位置検出信号が入力されなかった場合）、ステップＳ１０の処理はスキップされ、処理はステップＳ１１に進む。
【００８７】
ステップＳ１１において、レジスタ２８−１は、記憶している重み係数ｋ１を重み付け回路２９−１に出力する。同様に、レジスタ２８−２は、記憶している重み係数ｋ２を重み付け回路２９−２に出力する。
【００８８】
ステップＳ１２において、重み付け回路２９−１は、ステップＳ７でＦＦＴ回路２７−１から供給された周波数領域信号に対して、ステップＳ１１でレジスタ２８−１から供給された重み係数ｋ１を乗算して、ＦＦＴ回路２７−１から出力された周波数領域信号に重み付けし、重み付けされた周波数領域信号を等化回路３１−１に出力する。同様に、重み付け回路２９−２は、ステップＳ７でＦＦＴ回路２７−２から供給された周波数領域信号に対して、ステップＳ１１でレジスタ２８−２から供給された重み係数ｋ２を乗算して、ＦＦＴ回路２７−２から出力された周波数領域信号に重み付けし、重み付けされた周波数領域信号を等化回路３１−２に出力する。
【００８９】
ステップＳ１３において、伝送路特性推定回路３０−１は、ステップＳ７でＦＦＴ回路２７−１から供給された周波数領域信号から、既知のパイロット信号を抽出して、伝送信号Ａが経由してきた伝送路の伝送路特性の推定値Ｈ１（ω）を算出し、算出された伝送路特性Ｈ１（ω）を等化回路３１−１に出力する。同様に、伝送路特性推定回路３０−２は、ステップＳ７でＦＦＴ回路２７−２から供給された周波数領域信号から、既知のパイロット信号を抽出して、伝送信号Ｂが経由してきた伝送路の伝送路特性の推定値Ｈ２（ω）を算出し、算出された伝送路特性Ｈ２（ω）を等化回路３１−２に出力する。
【００９０】
ステップＳ１４において、等化回路３１−１は、重み付け回路２９−１から供給された、重み付けされた周波数領域信号に対して、伝送路特性推定回路３０−１から供給された伝送路特性の逆数１／Ｈ１（ω）を複素乗算することにより、周波数領域信号を等化し、等化後の周波数領域信号を加算回路１３に出力する。同様に、等化回路３１−２は、重み付け回路２９−２から供給された、重み付けされた周波数領域信号に対して、伝送路特性推定回路３０−２から供給された伝送路特性の逆数１／Ｈ２（ω）を複素乗算することにより、周波数領域信号を等化し、等化後の周波数領域信号を加算回路１３に出力する。
【００９１】
ステップＳ１５において、加算回路１３は、等化回路３１−１から供給された等化後の周波数領域信号、および等化回路３２−２から供給された等化後の周波数領域信号を加算合成し、合成後の周波数領域信号を、図示せぬ後段の誤り訂正回路に出力する。その後、信号は誤り訂正等が施され、伝送情報が再生される。
【００９２】
以上のようにして、受信装置１の受信処理が実行される。
【００９３】
以上の処理により、各ブランチ１１の出力をＯＦＤＭシンボル毎にその電力比に応じて重み付けし、ＯＦＤＭシンボル毎に最大比合成することが可能となる。
【００９４】
また、上述したステップＳ９およびステップＳ１０の処理を実行することにより、重み係数が、ＯＦＤＭシンボル期間中に変動することを防止することができる。すなわち、上述したステップＳ９およびステップＳ１０の処理により、ガード期間中に重み付け制御回路１２から供給された重み係数が、レジスタ２８に記憶されることになる。これにより、重み係数は、ＯＦＤＭシンボル毎に、ガード期間中に更新され、ＯＦＤＭシンボル期間内では、一定の値が保持される。ＯＦＤＭシンボル期間中に、重み係数が変動した場合、等化回路３１による等化処理の際に誤差が発生してしまう可能性があるが、このように、ＯＦＤＭシンボル期間中で、重み係数を一定に保つことにより、等化処理の際の誤差の発生を防ぐことが可能となる。
【００９５】
なお、図１および図３の受信装置１においては、等化回路３１により等化処理する前に、重み付け回路２９により信号に重み付けされていたが、等化回路３１により等化処理された後に、重み付け回路２９により信号に重み付けするようにしても良い。
【００９６】
図６は、等化回路３１により等化処理された後に、重み付け回路２９により信号に重み付けするようにした受信装置１の構成例を表している。なお、図６において、図１と同一の構成には同一の符号を付してある。図６の受信装置１は、図１の受信装置１の重み付け回路２９を、等化回路３１の後段に移動させた構成となっており、それ以外の構成は、図１と同様である。このような回路構成とした場合にも、図７に示されるように、ブランチ数の増減に柔軟に対応することができる。すなわち、図７の受信装置１は、図６の受信装置１に、ブランチを１個追加した構成となっている。
【００９７】
次に、図８および図９のフローチャートを参照して、図６の受信装置１の受信処理について説明する。なお、図８のステップＳ５１乃至ステップＳ５６の処理は、それぞれ図４のステップＳ１乃至ステップＳ６の処理と同様であるので、説明を省略する。
【００９８】
図８のステップＳ５７において、ＦＦＴ回路２７−１は、直交復調回路２５−１により直交復調された信号を時間領域信号から周波数領域信号に変換し、変換後の周波数領域信号を伝送路特性推定回路３０−１および等化回路３１−１に出力する。同様に、ＦＦＴ回路２７−２は、直交復調回路２５−２により直交復調された信号を時間領域信号から周波数領域信号に変換し、変換後の周波数領域信号を伝送路特性推定回路３０−２および等化回路３１−２に出力する。
【００９９】
ステップＳ５８において、重み付け制御回路１２は、ステップＳ５４で受信電力検出回路２４−１から供給されたＯＦＤＭシンボル毎の受信電力検出信号、および受信電力検出回路２４−２から供給されたＯＦＤＭシンボル毎の受信電力検出信号に基づいて、重み係数を算出する。すなわち、重み付け制御回路１２は、伝送信号ＡのＯＦＤＭシンボル毎の電力レベル（電力値）Ｐ１および伝送信号ＢのＯＦＤＭシンボル毎の電力レベル（電力値）Ｐ２に基づいて、ブランチ１１−１の重み係数ｋ１およびブランチ１１−２の重み係数ｋ２を、以下の式により算出する。
【０１００】
ｋ１＝Ｐ１／（Ｐ１＋Ｐ２）
ｋ２＝Ｐ２／（Ｐ１＋Ｐ２）
【０１０１】
重み付け制御回路１２は、算出した重み係数ｋ１をレジスタ２８−１に出力し、重み係数ｋ２をレジスタ２８−２に出力する。
【０１０２】
ステップＳ５６で、ガード相関回路２６−１および２６−２は、ＯＦＤＭ開始位置を検出したタイミングで、開始位置検出信号をレジスタ２８−１および２８−２に送信している。そこで、図８に続く図９のステップＳ５９において、レジスタ２８−１は、ガード相関回路２６−１から開始位置検出信号が入力されたか否かに基づいて、ガード期間であるか否かを判定し、ガード期間である場合、処理はステップＳ６０に進む。同様に、レジスタ２８−２は、ガード相関回路２６−２から開始位置検出信号が入力されたか否かに基づいて、ガード期間であるか否かを判定し、ガード期間である場合（開始位置検出信号が入力された場合）、処理はステップＳ６０に進む。
【０１０３】
ステップＳ６０において、レジスタ２８−１は、図８のステップＳ５８で重み付け制御回路１２から供給された重み係数ｋ１を記憶する。なお、レジスタ２８−１は、既に記憶していた重み係数を消去する。これにより、重み係数ｋ１は、ガード期間で更新される。レジスタ２８−２も、同様に、図８のステップＳ５８で重み付け制御回路１２から供給された重み係数ｋ２を記憶する。なお、レジスタ２８−２は、既に記憶していた重み係数を消去する。その後、処理はステップＳ６１に進む。
【０１０４】
ステップＳ５９において、レジスタ２８−１が、ガード期間ではないと判定した場合（開始位置検出信号が入力されなかった場合）、ステップＳ６０の処理はスキップされ、処理はステップＳ６１に進む。同様に、レジスタ２８−２が、ガード期間ではないと判定した場合（開始位置検出信号が入力されなかった場合）、ステップＳ６０の処理はスキップされ、処理はステップＳ６１に進む。
【０１０５】
ステップＳ６１において、レジスタ２８−１は、記憶している重み係数ｋ１を重み付け回路２９−１に出力する。同様に、レジスタ２８−２は、記憶している重み係数ｋ２を重み付け回路２９−２に出力する。
【０１０６】
ステップＳ６２において、伝送路特性推定回路３０−１は、ステップＳ５７でＦＦＴ回路２７−１から供給された周波数領域信号から、既知のパイロット信号を抽出して、伝送信号Ａが経由してきた伝送路の伝送路特性の推定値Ｈ１（ω）を算出し、算出された伝送路特性Ｈ１（ω）を等化回路３１−１に出力する。同様に、伝送路特性推定回路３０−２は、ステップＳ５７でＦＦＴ回路２７−２から供給された周波数領域信号から、既知のパイロット信号を抽出して、伝送信号Ｂが経由してきた伝送路の伝送路特性の推定値Ｈ２（ω）を算出し、算出された伝送路特性Ｈ２（ω）を等化回路３１−２に出力する。
【０１０７】
ステップＳ６３において、等化回路３１−１は、ＦＦＴ回路２７−１から供給された周波数領域信号に対して、伝送路特性推定回路３０−１から供給された伝送路特性の逆数１／Ｈ１（ω）を複素乗算することにより、周波数領域信号を等化し、等化後の周波数領域信号を重み付け回路２９−１に出力する。同様に、等化回路３１−２は、ＦＦＴ回路２７−２から供給された周波数領域信号に対して、伝送路特性推定回路３０−２から供給された伝送路特性の逆数１／Ｈ２（ω）を複素乗算することにより、周波数領域信号を等化し、等化後の周波数領域信号を重み付け回路２９−２に出力する。
【０１０８】
ステップＳ６４において、重み付け回路２９−１は、ステップＳ６３で等化回路３１−１から供給された周波数領域信号に対して、ステップＳ６１でレジスタ２８−１から供給された重み係数ｋ１を乗算して、等化回路３１−１から出力された周波数領域信号に重み付けし、重み付けされた周波数領域信号を加算回路１３に出力する。同様に、重み付け回路２９−２は、ステップＳ６３で等化回路３１−２から供給された周波数領域信号に対して、ステップＳ６１でレジスタ２８−２から供給された重み係数ｋ２を乗算して、等化回路３１−２から出力された周波数領域信号に重み付けし、重み付けされた周波数領域信号を加算回路１３に出力する。
【０１０９】
ステップＳ６５において、加算回路１３は、重み付け回路２９−１から供給された重み付けされた周波数領域信号、および重み付け回路２９−２から供給された重み付けされた周波数領域信号を加算合成し、合成後の周波数領域信号を、図示せぬ後段の誤り訂正回路に出力する。その後、信号は誤り訂正等が施され、伝送情報が再生される。
【０１１０】
以上のようにして、図６の受信装置１の受信処理が実行される。
【０１１１】
以上のように、本発明によれば、ＯＦＤＭシンボル単位に各ブランチ１１の受信電力比に対応した重みを計算して各ブランチ１１の出力に重み付けをして、加算することにより、ＯＦＤＭシンボル単位に最大比で合成するダイバーシティを可能にする。また各ブランチ１１の構成を同一とすることができるため、モジュール化が容易になり、ブランチ数の変更に柔軟に対処することが可能となる。
【０１１２】
また、ブランチ数を変更する際に、既にあるブランチはそのまま使用することができるため、例えば、ブランチを追加する場合、既にあるブランチをそのまま活用することができ、使用者は、出費を抑えることができる。
【０１１３】
【発明の効果】
以上のように、本発明によれば、ＯＦＤＭ信号を受信することができる。特に、ＯＦＤＭシンボル毎に最大比で合成するダイバーシティ合成が可能となる。従って、よりＯＦＤＭ信号の伝送の信頼性を向上させることが可能となる。
【０１１４】
また、本発明によれば、容易にブランチ数を変更することが可能となる。
【図面の簡単な説明】
【図１】本発明を適用した受信装置の構成例を示すブロック図である。
【図２】ＯＦＤＭシンボルの構成を説明する図である。
【図３】本発明を適用した受信装置の構成例を示す他のブロック図である。
【図４】図１の受信装置の受信処理を説明するフローチャートである。
【図５】図１の受信装置の受信処理を説明する、図４に続くフローチャートである。
【図６】本発明を適用した受信装置の構成例を示すブロック図である。
【図７】本発明を適用した受信装置の構成例を示す他のブロック図である。
【図８】図６の受信装置の受信処理を説明するフローチャートである。
【図９】図６の受信装置の受信処理を説明する、図８に続くフローチャートである。
【符号の説明】
１  受信装置，  １１−１，１１−２，１１−３  ブランチ，  １２  重み付け制御回路，  １３  加算回路，  ２１−１，２１−２，２１−３  受信アンテナ，  ２２−１，２２−２，２２−３  高周波回路，  ２３−１，２３−２，２３−３  Ａ／Ｄ回路，  ２４−１，２４−２，２４−３  受信電力検出回路，  ２５−１，２５−２，２５−３  直交復調回路，  ２６−１，２６−２，２６−３  ガード相関回路，  ２７−１，２７−２，２７−３  ＦＦＴ回路，  ２８−１，２８−２，２８−３  レジスタ，  ２９−１，２９−２，２９−３  重み付け回路，  ３０−１，３０−２，３０−３  伝送路特性推定回路，  ３１−１，３１−２，３１−３  等化回路
【図１】
2004343586.tif 000004
【図２】
2004343586.tif 000005
【図３】
2004343586.tif 000006
【図４】
2004343586.tif 000007
【図５】
2004343586.tif 000008
【図６】
2004343586.tif 000009
【図７】
2004343586.tif 000010
【図８】
2004343586.tif 000011
【図９】
2004343586.tif 000012